(57)【要約】      （修正有）【課題】作動時に、同時にライトの作用をも兼ね、質の高い安全運転を保証するワイパースポイラーの提供。【解決手段】ワイパースポイラーを改良した構造であり、主に上下カバーにより構成されるスポイラー本体を設置し、上カバー１には電池ケース１１を設け、両側にはそれぞれ長孔を有し、下カバー２には中央に電気回路３を有する。また、電気回路の両端にはそれぞれＬＥＤ３３を設け、両側には固定用の溝２２が設けられ、二つの下部底縁はギザギザ４４の透明プレート４を入れるのに用いられる。それにより電気回路と透明プレートがワッシャー５により接合された後、上下カバーが組み合わさりスポイラーを構成している。そのため該スポイラーが光線不良及びそのワイパーが作動している時、該ＬＥＤは両側の透明プレートを通して点滅して表示する。【選択図】図２
0003118410.tif 000002
【実用新案登録請求の範囲】
【請求項１】
ワイパースポイラーを改良した構造であり、以下のものを含み、
上カバーは中央部に電池ケースが設けられ、頂縁には引っ掛け用でっぱりを設け、両側にはそれぞれ左右対称となる長孔が設けられ、
下カバーは中央には設置部を設け、両端にそれぞれ固定用の溝を設け、
電気回路は下カバーの設置部に配置され、その両端にはそれぞれ異なる色のＬＥＤが設けられ、
二つの透明プレート二つは下カバーの固定用の溝に配置され、その一端には出っ張りがある挿し込み端子を設け、表面には上カバーに対応する長孔の浮き出し部が設けられ、
ワッシャーは下カバー設置部にある電気回路の外縁部に設置され、その両端はそれぞれはめ込み部が設けられ、はめ込み部には挿し込み穴を設け、
前述の部材による組み合わせでは、その透明プレート二つの挿し込み端子はワッシャーはめ込み部の挿し込み穴に接続され、上下カバーの組合わせ後、透明プレートの浮き出し部がちょうど上カバーの長孔から突出し、ワイパーに装着されるスポイラーを構成し、光線不良及びワイパー作動時にはワイパー両側の透明プレートの浮き出し部が点滅して表示することを特徴とする、ワイパースポイラー。
【請求項２】
請求項１のワイパースポイラーにおいて、そのうちの電気回路には感光部品と振動部品が設けられ、光線不良及びワイパー作動時には電気回路を起動させＬＥＤを点灯させることを特徴とするワイパースポイラー。
【請求項３】
請求項１のワイパースポイラーにおいて、そのうちの透明プレート二つの下部底縁には連続したギザギザが設けられ、照射したＬＥＤ光線はギザギザでの屈折を通して全面に渡り発光することを特徴とするワイパースポイラー。
【考案の詳細な説明】
【技術分野】
【０００１】
本考案はワイパースポイラーを改良した構造で、特に光線不良及びワイパー作動時に点滅して表示するワイパースポイラーを指す。
【背景技術】
【０００２】
一般の車両の場合、フロントガラスには左右対称のワイパーが取付けられ、雨天の時にはワイパーが雨水を拭き取り前方の視界を保つ。周知のワイパーは順調に拭き取りができるのは一般的に前面の縁に取付けられたスポイラーによるもので、これでは拭き取りの効果は得られるものの、取付けられたスポイラーには他の機能がなく、特に雨天で視界不良の時は、スポイラーによる他の表示ができないため、運転の安全性を高めるうことが難しい。その場合のスポイラーの効果は一般の拭き取りの効果のみに限られ、理想とはほど遠いものとなっている。
【考案の開示】
【考案が解決しようとする課題】
【０００３】
本考案の主な目的は、ワイパースポイラーを改良した構造を提供し、ワイパースポイラー作動時に、同時にライトの作用をも兼ね、質の高い安全運転を保証するものである。
【０００４】
前述のスポイラー構造は、上下カバーを設けたスポイラー本体を有するもので、該上カバーの中央部に電池ケースが設けられている。また、両側のプレートには長孔を設け、下カバー中央には設置部を設け、両端にＬＥＤが設けられた電気回路の装着に用いられる。そして両側には固定用の溝を設け、透明プレートを入れるのに用いられる。透明プレートにはそれぞれ浮き出し部を設けている。それにより電気回路の外側にワッシャーを配置した後、ワッシャー両端のはめ込み部が電気回路上のＬＥＤと透明プレートに通じ、上下カバーが組み合わさりスポイラーを構成する。それにより該スポイラーが光線不良及びワイパーが作動している時、そのＬＥＤは両側の透明プレートを通して点滅して表示する。
【０００５】
前述のスポイラー構造のうちの電気回路には感光部品及び振動スイッチが設けられ、ワイパーが作動及び光線不良の時、電気回路を起動させＬＥＤを発光させる。
【０００６】
前述のスポイラー構造のうちの二つの透明プレートの底縁に連続したギザギザが設けられ、それによりＬＥＤの光線を屈折させ、発光の効果を透明プレートの全面に渡す。
【課題を解決するための手段】
【０００７】
請求項１の考案は、ワイパースポイラーを改良した構造であり、以下のものを含み、
上カバーは中央部に電池ケースが設けられ、頂縁には引っ掛け用でっぱりを設け、両側にはそれぞれ左右対称となる長孔が設けられている。
下カバーは中央には設置部を設け、両端にそれぞれ固定用の溝を設け、
電気回路は下カバーの設置部に配置され、その両端にはそれぞれ異なる色のＬＥＤが設けられ、
二つの透明プレートは下カバーの固定用の溝に配置され、その一端には出っ張りがある挿し込み端子を設け、表面には上カバーに対応する長孔の浮き出し部が設けられ、
ワッシャーは下カバー設置部にある電気回路の外縁部に設置され、その両端はそれぞれはめ込み部が設けられ、はめ込み部には挿し込み穴を設けて、
前述の部材による組み合わせでは、その透明プレート二つの挿し込み端子はワッシャーはめ込み部の挿し込み穴に接続され、上下カバーの組合わせ後、透明プレートの浮き出し部がちょうど上カバーの長孔から突出し、ワイパーに装着されるスポイラーを構成し、光線不良及びワイパー作動時にはワイパー両側の透明プレートの浮き出し部が点滅して表示することを特徴とするワイパースポイラーとしている。
請求項２の考案は、請求項１のワイパースポイラーにおいて、そのうちの電気回路には感光部品と振動部品が設けられ、光線不良及びワイパー作動時には電気回路を起動させＬＥＤを点灯させることを特徴とするワイパースポイラーとしている。
請求項３の考案は、請求項１のワイパースポイラーにおいて、そのうちの透明プレート二つの下部底縁には連続したギザギザが設けられ、照射したＬＥＤ光線はギザギザでの屈折を通して全面に渡り発光することを特徴とするワイパースポイラーとしている。
【考案の効果】
【０００８】
本考案は、ワイパースポイラーを改良した構造を提供し、ワイパースポイラー作動時に、同時にライトの作用をも兼ね、質の高い安全運転を保証するものである。
【考案を実施するための最良の形態】
【０００９】
図１、２に同時に示されている通り、本考案は主に上下カバー１、２により構成されるスポイラー本体を設置され、該上カバーの中央には電池ケース１１を設け(電池ケースはバッテリーホルダーで代用してもよい)、電池１２を装着するのに用いられている。上カバー１の頂縁に引っ掛け用でっぱり１３を設け、両側には左右対称に長孔(１４、１５)を設けている。
【００１０】
その下カバー２中央には設置部２１を設け、そこに電気回路３を設置する。該電気回路３には振動スイッチ３１と感光部品３２が、そして両端にはそれぞれＬＥＤ３３が設けられ、下カバー２の両側には固定用の溝２２を設け、二つの透明プレート４の装着に用いられる。
【００１１】
その透明プレート４の一端には出っ張る挿し込み端子４１を設け、表面には上カバー１に対応する長孔１４、１５の浮き出し部４２、４３が設けられている。そして下部底縁には連続しているギザギザ４４が設けられている。
【００１２】
ワッシャー５は電気回路３より多少大きく、その両端にはそれぞれ挿し込み穴５１１のはめ込み部５１を有する。
【００１３】
前述した部材での組み合わせにより、該電気回路３が下カバー２の設置部２１に設置された後、ワッシャー５が電気回路３の縁に取付けられ、防水作用をなしている。そして、二つの透明プレート４をそれぞれ下カバー２両側にある固定用の溝２２に装着し、二つの透明プレート４の挿し込み端子４１をワッシャー５はめ込み部５１の挿し込み穴５１１に差し込ませ、それにより電気回路３のＬＥＤ３３が挿し込み端子４１に対応している。さらに上下カバー１、２を合わせて固定し、透明プレート４の浮き出し部４２、４３を上カバー１の長孔１４、１５から突き出させ、スポイラー１００を構成し、ワイパーに装着される。光線不良及びワイパーが作動している時、ＬＥＤ３３が感光部品３２及び振動スイッチ３１の感応により発光する。その光線が透明プレート４を照らし出し、透明プレート４のギザギザ面４４での屈折作用により、透明プレート４を全面に渡り発光させて表示する。
【００１４】
図３に示したのは、本考案の使用時、上カバー１の引っ掛け用でっぱり１３がワイパー６のメインフレーム６１にある長孔６１１で挟み付けられ、ワイパー６の移動に伴って、光線不良及びワイパー６の作動時には、ワイパーの透明プレート４の浮き出し部４２、４３が点滅して表示する。
【００１５】
図４、５に同時に示したのは、本考案の電気回路３が固定された後、そのＬＥＤ３３が透明プレート３の挿し込み端子４１と対応し、透明プレート３の挿し込み端子４１はＬＥＤ３３に最も近い部分であるため、ＬＥＤ３３の発光時、光が透明プレート４に照射し、透明プレート４を明るく照らし出す。そのワッシャー５は防水作用があり、雨水が電気回路３にしみこみ、破損を引き起こすのを防止する。また、ＬＥＤよりの光線は透明プレート４下部底縁のギザギザ面４４に発生した連続した屈折作用により、透明プレート４を全面に渡り発光しより効果的に表示することができるのである。
【００１６】
図６に示したのは、本考案がワイパー６を組み立てた後、空気の流れを変えることによりワイパー６が順調に作動する以外にも、光線不良時に適時に両側の透明プレート４浮き出し部４２、４３を照らして点滅させ、質の高い安全運転を保証するものである。
【００１７】
上述の通り、本考案は透明プレートをＬＥＤが設けられた電気回路に合わせ、スポイラーがワイパー作動時に発光する効果をもたらすものである
【図面の簡単な説明】
【００１８】
【図１】本考案の立体図である。
【図２】本考案の立体分解図である。
【図３】本考案がワイパーに装着された実施例図である。
【図４】本考案であるＬＥＤが透明プレートを照射する実施例図である。
【図５】本考案であるＬＥＤが透明プレートを照射する実施例図である。
【図６】本考案の使用実施例図である。
【符号の説明】
【００１９】
１  上カバー
１１  電池ケース
１２  電池
１３  引っ掛け用でっぱり
１４  長孔
１５  長孔
２  下カバー
２１  設置部
２２  固定用の溝
３  電気回路
３１  振動スイッチ
３２  感光部品
３３  ＬＥＤ
４  透明プレート
４１  挿し込み端子
４２  浮き出し部
４３  浮き出し部
４４  ギザギザ
５  ワッシャー
５１  はめ込み部
５１１  挿し込み穴
６  ワイパー
６１  メインフレーム
６１１  長孔
１００    スポイラー
【図１】
0003118410.tif 000003
【図２】
0003118410.tif 000004
【図３】
0003118410.tif 000005
【図４】
0003118410.tif 000006
【図５】
0003118410.tif 000007
【図６】
0003118410.tif 000008